(57)【特許請求の範囲】
【請求項１】
外科用ステープラーであって、
ステープルカートリッジおよびアンビルを含む一対のジョーであって、前記一対のジョーのうちの少なくとも一方は、組織接触面を規定する組織接触表面と、前記組織接触表面の中に形成され凹面を規定する凹部とを規定し、前記凹面は、前記組織接触面に対して実質的に平行であり、かつ、前記組織接触面に対して垂直な方向に前記組織接触面から間隔を開けられており、前記一対のジョーのうちの前記少なくとも一方は、
前記一対のジョーのうちの前記少なくとも一方の遠位端部の近傍に配置された少なくとも１つの突出部と、
前記一対のジョーのうちの前記少なくとも一方の近位端部の近傍に配置された少なくとも１つの突出部と
を含む、一対のジョーと、
前記一対のジョーのうちの前記少なくとも一方の前記凹部内に着脱可能に配置されたステープルラインバットレス材料であって、前記ステープルラインバットレス材料は、前記組織接触面より上には突出せず、前記ステープルラインバットレス材料は、前記一対のジョーのうちの前記少なくとも一方の前記遠位端部の近傍に配置された前記少なくとも１つの突出部および前記一対のジョーのうちの前記少なくとも一方の前記近位端部の近傍に配置された前記少なくとも１つの突出部を受容するための凹部を規定する、ステープルラインバットレス材料と
を含む、外科用ステープラー。
【請求項２】
前記一対のジョーのうちの前記少なくとも一方の前記遠位端部の近傍に配置された前記少なくとも１つの突出部および前記一対のジョーのうちの前記少なくとも一方の前記近位端部の近傍に配置された前記少なくとも１つの突出部のそれぞれは、長手方向に延びる２つの突出部を含む、請求項１に記載の外科用ステープラー。
【請求項３】
前記一対のジョーのうちの前記少なくとも一方の前記遠位端部の近傍に配置された前記少なくとも１つの突出部および前記一対のジョーのうちの前記少なくとも一方の前記近位端部の近傍に配置された前記少なくとも１つの突出部のそれぞれは、ネック部分および膨らんだ部分を含む、請求項１に記載の外科用ステープラー。
【請求項４】
前記一対のジョーのうちの前記少なくとも一方は、長手方向に延びるナイフスロットを含み、前記一対のジョーのうちの前記少なくとも一方の前記遠位端部の近傍に配置された前記少なくとも１つの突出部は、前記ナイフスロットによって隔てられており、前記一対のジョーのうちの前記少なくとも一方の前記近位端部の近傍に配置された前記少なくとも１つの突出部もまた前記ナイフスロットによって隔てられている、請求項２に記載の外科用ステープラー。
【請求項５】
前記一対のジョーのうちの前記少なくとも一方は、前記一対のジョーのうちの前記少なくとも一方の前記遠位端部の近傍に配置された２セットの前記少なくとも１つの突出部と、前記一対のジョーのうちの前記少なくとも一方の前記近位端部の近傍に配置された２セットの前記少なくとも１つの突出部とを含む、請求項２に記載の外科用ステープラー。
【請求項６】
前記一対のジョーのうちの前記少なくとも一方は、長手方向に延びるナイフスロットを含み、前記ナイフスロットは、前記一対のジョーのうちの前記少なくとも一方の前記遠位端部の近傍に配置された前記２セットの前記少なくとも１つの突出部を隔て、前記一対のジョーのうちの前記少なくとも一方の前記近位端部の近傍に配置された前記２セットの前記少なくとも１つの突出部を隔てる、請求項５に記載の外科用ステープラー。
【請求項７】
前記一対のジョーのうちの前記少なくとも一方の前記遠位端部の近傍に配置された前記少なくとも１つの突出部および／または前記一対のジョーのうちの前記少なくとも一方の前記近位端部の近傍に配置された前記少なくとも１つの突出部は、ポストを含み、前記ステープルラインバットレス材料は、前記ポストを受容するためのそれぞれのホールを含む、請求項１に記載の外科用ステープラー。
【請求項８】
前記ステープルラインバットレス材料は、前記組織接触面と前記凹面との間に置かれるように構成されている、請求項１に記載の外科用ステープラー。
【発明の詳細な説明】
【技術分野】
【０００１】
（技術分野）
本開示は、ステープルラインバットレス材料のための取り付けシステムに関する。より具体的には、本開示は、ステープルラインバットレス材料を、外科用ステープル止め機器のカートリッジを含むアンビルおよびステープルに一時的に取り付けるシステムおよび方法に関する。
【背景技術】
【０００２】
（関連技術の背景）
外科用ステープル止め機器または「ステープル止めデバイス」は、身体組織の部分を一緒に結合させる目的で、身体組織に対して１列以上のファスナー（例えば、ステープルまたは２部品（ｔｗｏ−ｐａｒｔ）ファスナー）を連続して、または、同時に適用するために、外科医によって用いられる。このようなデバイスは、一般に、一対のジョーまたは指のような構造を備え、この構造の間に結合される身体組織が置かれる。ステープル止めデバイスが起動または「始動（ｆｉｒｅ）」されると、長手方向に動く始動バーが、ジョーの一方におけるステープル駆動部材と接する。ステープル駆動部材は、身体組織を通して、そして、対向するジョーのアンビルへと外科用ステープルを押し、ステープルを閉じた状態にかしめる。組織が除去または分離される必要がある場合には、デバイスのジョーにナイフブレードが提供されて、ステープルの列の間にある組織を切断し得る。
【０００３】
比較的薄いか、または、脆弱な組織をステープル止めする場合、ステープルラインを、気体または流体の漏れに対して有効に密閉することが重要である。さらに、組織が裂けたり、組織を通してステープルを引っ張ったりすることを防止するために、この組織に対してステープルラインを補強することがしばしば必要となる。この裂けや引っ張りを防止する１つの方法は、生体適合性の織物補強材料または「バットレス」材料を、ステープルと下の組織との間に置くことを伴う。この方法において、バットレス材料の層が、組織に対して置かれ、そして、組織が、従来の様式でステープル止めされる。より最近の方法では、バットレス材料は、組織をステープル止めする前に、ステープル止め機器自体に位置決めされる。この代表的な例は、ＭｃＫｅａｎらに対する特許文献１に開示される。この特許文献１において、バットレス材料の管が、ステープラーのジョーの周りを滑らされる。次いで、ステープラーが起動されて、被験体の組織をステープル止めし、そして、組織とステープルラインとの間にバットレス材料を固定して、組織およびステープルラインを補強する。
【０００４】
いくつかの新規の外科用ステープラーは、バットレス材料をステープラーのジョーに一時的に接続するために、ファスナーまたはクリップを利用する。しかし、いくつかの場合において、ジョー自体の内部に構造を成形または機械加工して、これに対応して構成されたバットレス材料の取り付けを容易にすることが望ましい。さらに、このような構造を、ジョーに実装されたナイフブレードの動作と干渉しない様式で提供することが望ましい。
【先行技術文献】
【特許文献】
【０００５】
【特許文献１】米国特許第５，５４２，５９４号明細書
【発明の概要】
【課題を解決するための手段】
【０００６】
（要旨）
ステープルカートリッジおよびアンビルを備える一対のジョーを有する外科用ステープラーが開示される。ジョーの少なくとも一方は、第一のジョーの第一の端部に位置決めされた少なくとも２つの長手方向に延びる突出部を備える。外科用ステープラーはまた、少なくとも一方のジョーに着脱可能に固定され、少なくとも２つの突出部を受容するための凹部を備えるステープルラインバットレス材料も有する。１つの実施形態において、少なくとも２つの突出部の各々は、ネック部分および膨らんだ部分を備える。代替的な実施形態において、少なくとも２つの突出部の各々は、比較的真っ直ぐである。少なくとも一方のジョーは、長手方向に延びるナイフスロットを備え、少なくとも２つの突出部は、このナイフスロットによって隔てられる。
【０００７】
さらなる実施形態において、少なくとも一方のジョーは、少なくとも２つの突出部を２セット備え、そして、この少なくとも一方のジョーは、長手方向に延びるナイフスロットを備える。ナイフスロットは、２セットの少なくとも２つの突出部を隔てる。
【０００８】
特定の実施形態において、少なくとも一方のジョーは、第二の端部にポストを備え、そして、バットレス材料は、このポストを受容するためのホールを備える。第一のバージョンにおいて、ポストは分割しており、ポスト間のナイフの通過を可能にするが、第二のバージョンにおいては、ポストは中実である。
【０００９】
特定の実施形態において、ポストは、キャップを有するキノコ形状の突出部を形成し、そして、キャップは、バットレス材料の一部と係合するためのフランジを規定する。
【００１０】
別の実施形態において、少なくとも一方のジョーは、一対のポストを備え、そして、バットレス材料は、一対のポストを受容するための一対のホールを備える。一対のポストの各ポストは、バットレス材料の外側エッジに隣接して位置決めされる。少なくとも一方のジョーはまた、長手方向に延びるスロットを備え、その結果、一対のポストがこのスロットによって隔てられる。
【００１１】
特定の実施形態において、少なくとも一方のジョーは長手方向に延びるスロットを備え、ポストはスロットの遠位端部の遠位に位置決めされ、そして、バットレス材料は、ポストを受容するためのホールを備える。バットレス材料は、さらに、バットレス材料のホールを規定する領域を通って延びる長手方向のスリットを備える。
【００１２】
本発明により開示される連結式バットレス保持システムの種々の実施形態が、添付の図面を参照して、本明細書において開示される。
【００１３】
上記に加えて、本発明は以下を提供する：
（項目１）  外科用ステープラーであって、以下：
ステープルカートリッジおよびアンビルを備える一対のジョーであって、該ジョーの少なくとも一方は、該ジョーの少なくとも一方の第一の端部に位置決めされた少なくとも２つの長手方向に延びる突出部を備える、一対のジョー；ならびに
該少なくとも一方のジョーに着脱可能に固定され、そして、該少なくとも２つの突出部を受容するための凹部を備えるステープルラインバットレス材料
を含む、外科用ステープラー。
（項目２）  上記少なくとも２つの突出部の各々が、ネック部分および膨らんだ部分を備える、項目１に記載の外科用ステープラー。
（項目３）  上記少なくとも２つの突出部の各々が、比較的真っ直ぐである、項目１に記載の外科用ステープラー。
（項目４）  上記少なくとも一方のジョーが、長手方向に延びるナイフスロットを備え、上記少なくとも２つの突出部が、該ナイフスロットによって隔てられる、項目１に記載の外科用ステープラー。
（項目５）  上記少なくとも一方のジョーが、上記少なくとも２つの突出部を２セット備える、項目１に記載の外科用ステープラー。
（項目６）  上記少なくとも一方のジョーが、長手方向に延びるナイフスロットを備え、該ナイフスロットは、上記２セットの上記少なくとも２つの突出部を隔てる、項目５に記載の外科用ステープラー。
（項目７）  上記少なくとも一方のジョーが、第二の端部においてポストを備え、上記バットレス材料が、該ポストを受容するためのホールを備える、項目１に記載の外科用ステープラー。
（項目８）  上記ポストが分割しており、該ポストの間のナイフの通過を可能にする、項目７に記載の外科用ステープラー。
（項目９）  上記ポストが中実である、項目７に記載の外科用ステープラー。
（項目１０）  上記ポストが、キャップを有するキノコ形状の突出部を形成し、該キャップが、上記バットレス材料の一部と係合するためのフランジを規定する、項目７に記載の外科用ステープラー。
（項目１１）  上記ポストが分割している、項目１０に記載の外科用ステープラー。
（項目１２）  上記少なくとも一方のジョーが、一対のポストを備える、項目１に記載の外科用ステープラー。
（項目１３）  上記バットレス材料が、上記一対のポストを受容するための一対のホールを備える、項目１２に記載の外科用ステープラー。
（項目１４）  上記一対のポストの各ポストが、上記バットレス材料の外側エッジに隣接して位置決めされる、項目１２に記載の外科用ステープラー。
（項目１５）  上記少なくとも一方のジョーが、長手方向に延びるスロットを備え、上記一対のポストが、該スロットによって隔てられる、項目１２に記載の外科用ステープラー。
（項目１６）  上記少なくとも一方のジョーが、長手方向に延びるスロットを備え、上記ポストが、該スロットの遠位端部の遠位に位置決めされる、項目９に記載の外科用ステープラー。
（項目１７）  上記バットレス材料が、該バットレス材料の上記ホールを規定する領域を通って延びる長手方向のスリットを備える、項目７に記載の外科用ステープラー。
（摘要）
ステープルを含むカートリッジとアンビルとを備える一対のジョーを有する外科用ステープラーが提供される。バットレス材料は、ステープルを含むカートリッジとアンビルとに、着脱可能に固定される。ジョーのうちの一方は、ジョーの第一の端部において一対の長手方向の突出部を備え、これは、バットレス材料の第一の端部における対応するスロットと摩擦係合するように構成される。ジョーのうちの一方は、ジョーの第二の端部においてポストを備える。バットレス材料は、ポストを受容するために、バットレス材料の第二の端部においてホールを備える。
【図面の簡単な説明】
【００１４】
【図１】図１は、ステープルラインバットレス材料を、アンビルおよび外科用ステープル止め機器のステープルを含むカートリッジに取り付けるための保持システムの実施形態を組み込んだ外科用ステープル止め機器の斜視図である。
【図２】図２は、図１の外科用ステープル止め機器の遠位端部の拡大した斜視図である。
【図３】図３は、部品を分離した、アンビルおよびバットレス材料保持システムの１つの実施形態の斜視図である。
【図４】図４は、組み立てられたアンビルバットレス材料保持システムの斜視図である。
【図５】図５は、図４のアンビルバットレス材料保持システムの遠位端部の上面図である。
【図６】図６は、図４の線６−６に沿ってとった断面図である。
【図７】図７は、部品を分離した、図４のアンビルバットレス保持システムの近位端部の斜視図である。
【図８】図８は、図７の線８−８に沿ってとった断面図である。
【図９】図９は、部品を分離した、アンビルバットレス保持システムの近位端部の代替的な実施形態の斜視図である。
【図１０】図１０は、図９の線１０−１０に沿ってとった断面図である。
【図１１】図１１は、部品を分離した、ステープルを含むカートリッジおよびバットレス材料保持システムの１つの実施形態の斜視図である。
【図１２】図１２は、図１１の組み立てられたカートリッジバットレス保持システムの斜視図である。
【図１３】図１３は、図１２のカートリッジバットレス保持システムの近位端部の上面図である。
【図１４】図１４は、カートリッジバットレス保持システムの近位端部の代替的な実施形態の上面図である。
【図１５】図１５は、図１２の線１５−１５に沿ってとった断面図である。
【図１６】図１６は、部品を分離した、図１２のカートリッジバットレス保持システムの遠位端部の斜視図である。
【図１７】図１７は、図１６の線１７−１７に沿ってとった断面図である。
【図１８】図１８は、部品を分離した、カートリッジバットレス保持システムの遠位端部の代替的な実施形態の斜視図である。
【図１９】図１９は、図１８の線１９−１９に沿ってとった断面図である。
【図２０】図２０は、部品を分離した、カートリッジバットレス保持システムの遠位端部のさらなる代替的な実施形態の斜視図である。
【図２１】図２１は、図２０の線２１−２１に沿ってとった断面図である。
【図２２】図２２は、組織部分の周りに位置決めされた、図１の外科用ステープル止め機器の遠位端部の斜視図である。
【図２３】図２３は、組織部分の周りに位置決めされた外科用ステープル止め機器の遠位端部の側面図であり、部分的に断面で示される。
【図２４】図２４は、図１の外科用ステープル止め機器の最初の起動の間の側面図であり、部分的に断面で示される。
【図２５】図２５は、ステープル止めされ、そして分割された組織部分の斜視図である。
【図２６】図２６は、図２５の線２６−２６に沿ってとった断面図である。
【発明を実施するための形態】
【００１５】
（実施形態の詳細な説明）
外科用ステープル止め機器と共に使用するための、本発明により開示される連結式バットレス材料保持システムの実施形態が、ここで、添付の図面（同様の数字は、いくつかの図面の各々において、同一であるか、または、対応する要素を示す）を参照して詳細に記載される。当該分野で一般的であるように、用語「近位」とは、使用者または操作者（すなわち、外科医または医師）により近い側の部分または構成要素をいい、一方で、用語「遠位」とは、使用者から離れた側の部分または構成要素をいう。
【００１６】
ここで図１を参照して、組織をステープル止めし、そして、ステープルと下にある組織との間にバットレス材料の層を適用する際に使用するための、直線状の外科用ステープル止め機器または外科用ステープラー１０が開示される。この型の外科用ステープル止め機器の代表的な例は、米国特許第７，１２８，２５３号（この特許の全開示は、本明細書中に参考として援用される）に開示される。外科用ステープラー１０は、一般に、ハンドル１２を備え、このハンドル１２は、ハンドル１２から遠位に延びる細長の管状部材１４を有する。ジョーアセンブリ１６は、細長の管状部材１４の遠位端部１８に設置される。ジョーアセンブリ１６は、ステープル打ち曲げアンビル２０と、ステープルを含むカートリッジまたはステープルカートリッジ２２とを備える。ステープルカートリッジ２２は、細長の管状部材１４に固定的に固定されていても、取り外し可能であり、したがって、新しいステープルカートリッジ２２と交換可能であってもよい。ステープル打ち曲げアンビル２０は、細長の管状部材１４の遠位端部１８に可動式に設置され、そして、ステープルカートリッジ２２から間隔を空けられた開いた位置と、実質的にステープルカートリッジ２２に隣接する閉じた位置との間で可動である。
【００１７】
ステープル打ち曲げアンビル２０が、アンビルバットレス材料２４の層に提供され、そして、ステープルカートリッジ２２が、本明細書において以下により詳細に記載される様式で、カートリッジバットレス材料２６の層に提供される。アンビルバットレス保持システム２８が、アンビル２０およびアンビルバットレス材料２４内に組み込まれ、そして、これは、アンビルバットレス材料２４を、ステープル打ち曲げアンビル２０に着脱可能に固定するために提供される。同様に、カートリッジバットレス保持システム３０が、ステープルカートリッジ２２およびカートリッジバットレス材料２６内に組み込まれ、そして、これは、カートリッジバットレス材料２６を、ステープルカートリッジ２２に着脱可能に固定するために提供される。アンビルバットレス材料２４およびカートリッジバットレス材料２６は、外科用ステープラー１０によって組織に加えられるステープルラインを強化し、そして、密閉するために提供される。
【００１８】
アンビルバットレス保持システム２８およびカートリッジバットレス保持システム３０は、特に、外科用ステープラー１０が患者の体内に挿入され、そして操作されるときに、それぞれのバットレス材料の裂けまたはしわの危険性を伴わずに、患者の身体内への外科用ステープラー１０の通過を容易にするために、それぞれのバットレス材料を、アンビル２０およびステープルカートリッジ２２の内向きの表面に位置を定められるように構成される。
【００１９】
外科用ステープラー１０はさらに、ハンドル１２の上に可動式に設置されたトリガ３２を備える。トリガ３２を起動すると、最初に、アンビル２０をステープルカートリッジ２２に関して開いた位置から閉じた位置へと動かすように作動し、その後、外科用ステープラー１０を動かして、ステープルのラインを組織に適用する。ジョーアセンブリ１６を、ステープル止めされる組織に関して適切に配向するために、外科用ステープラー１０は、さらに、ハンドル１２の上に設置された回転ノブ３４が提供される。回転ノブ３４のハンドル１２に関する回転は、細長の管状部材１４およびジョーアセンブリ１６をハンドル１２に関して回転させ、ジョーアセンブリ１６を、ステープル止めされる組織に関して適切に配向する。
【００２０】
図１および２を参照すると、アンビル２０を、ステープルカートリッジ２２に関して開いた位置と閉じた位置との間で動かすために、駆動装置３６が提供される。駆動装置３６は、アンビル２０内に形成された長手方向のスロット３８の間を動く。ナイフブレード（図示されず）は、駆動装置３６に実装され、駆動装置３６がスロット３８を通過するときに、アンビル２０とステープルカートリッジ２２との間に捕捉される組織を切断する。
【００２１】
図３を参照すると、アンビル２０を開いた位置と閉じた位置との間で動かすために、アンビル２０は、アンビル２０を閉じた位置へとカムを取り付けるために駆動装置３６によって係合されるように構成された、近位の、角度の付いた、または傾斜したエッジ４０を備える。スロット３８は、傾斜したエッジ４０から遠位に延び、そして、横スロット４２内で端をなす。この横スロット４２は、外科用ステープラー１０の任意のさらなる作動を防ぐために、外科用ステープラー１０の作動が完了したら、駆動装置３６を捕捉するように構成される。ステープルカートリッジ２２によって提供されるステープルを組織およびバットレス材料の周りに固定するために、アンビル２０は、長手方向のスロット３８のいずれかの側に位置を定められた、ステープル打ち曲げポケット４４の長手方向に延びる列が提供される。
【００２２】
なお図３を参照して、ここで、アンビル２０およびアンビルバットレス材料２４に組み込まれたアンビルバットレス保持システム２８が記載される。アンビルバットレス材料２４ならびにカートリッジバットレス材料２６。ステープルカートリッジ２２および／またはアンビル２０のためのバットレス材料は、あらゆる生体適合性の天然または合成の材料から作製され得る。バットレス材料が形成される材料は、生体吸着性であっても非生体吸着性であってもよい。当然のことながら、天然、合成、生体吸着性、および非生体吸着性の材料の任意の組み合わせが、バットレス材料を形成するために使用され得ることが理解されるべきである。
【００２３】
バットレス材料が作製され得る材料のいくつかの非限定的な例としては、以下が挙げられるがこれらに限定されない：ポリ（乳酸）、ポリ（グリコール酸）、ポリ（ヒドロキシブチレート）、ポリ（ホスファジン）（ｐｏｌｙ（ｐｈｏｓｐｈａｚｉｎｅ））、ポリエステル、ポリエチレングリコール、ポリエチレンオキシド、ポリアクリルアミド、ポリヒドロキシエチルメチルアクリレート、ポリビニルピロリドン、ポリビニルアルコール、ポリアクリル酸、ポリアセテート、ポリカプロラクトン、ポリプロピレン、脂肪族ポリエステル、グリセロール、ポリ（アミノ酸）、コポリ（エーテル−エステル）、ポリアルキレンオキサレート、ポリアミド、ポリ（イミノカーボネート）、ポリアルキレンオキサレート、ポリオキサエステル、ポリオルトエステル、ポリホスファゼンおよびコポリマー、ブロックコポリマー、ホモポリマー、これらのブレンドおよび組み合わせ。ある実施形態においては、天然の生物学的なポリマーが、バットレス材料を形成する際に使用される。適切な天然の生物学的なポリマーとしては、コラーゲン、ゼラチン、フィブリン、フィブリノーゲン、エラスチン、ケラチン、アルブミン、ヒドロキシエチルセルロース、セルロース、ヒドロキシプロピルセルロース、カルボキシエチルセルロース、キチン（ｃｈｉｔａｎ）、キトサン、およびこれらの組み合わせが挙げられるがこれらに限定されない。さらに、天然の生物学的なポリマーは、バットレス材料を生成するために、本明細書中に記載される他のポリマー材料のいずれかと組合され得る。
【００２４】
バットレス材料は、有孔であっても、非有孔であっても、有孔の層と非有孔の層との組み合わせであってもよい。バットレス材料が非有孔である場合、バットレス材料は、周囲の組織からの組織の内方増殖を遅延または防止し得、それによって、癒着に対するバリアとして機能し、そして、望ましくない瘢痕組織の形成を防止する。したがって、ある実施形態においては、バットレス材料は、抗癒着特性を有する。このような材料から非有孔の層を形成するための技術は、当業者の知識の範囲内であり、そして例えば、鋳造、成型などが挙げられる。
【００２５】
ある実施形態においては、バットレス材料は、有孔であり、そして、止血特性を有する。バットレス材料が有孔である場合、バットレス材料は、その表面の少なくとも一部にわたり、開口または孔を有する。有孔層を形成するための適切な材料としては、発泡体（例えば、連続気泡発泡体または独立気泡発泡体）が挙げられるがこれらに限定されない。ある実施形態においては、孔は、有孔層の厚み全体にわたって相互に連絡するように、十分な数およびサイズであり得る。他の実施形態においては、孔は、有孔層の厚み全体にわたって相互に連絡しない。なお他の実施形態においては、孔は、有孔層の厚み全体にわたって延びておらず、その表面の一部に存在する。ある実施形態においては、開口または孔は、有孔層の表面の一部に位置を定められ、有孔層の他の部分は、非有孔の構造を有する。本開示を読む当業者は、有孔層について、他の孔の分布パターンおよび構成を想定する。
【００２６】
バットレス材料が有孔である場合、孔は、発泡体またはスポンジを形成するのに適した任意の方法（組成物の凍結乾燥またはフリーズドライが挙げられるがこれらに限定されない）を用いて形成され得る。発泡体を作製するための適切な技術は、当業者の知識の範囲内である。有孔のバットレス材料は、厚さ少なくとも０．２ｃｍであり得、そして、ある実施形態においては、厚さ約０．３ｃｍ〜約１．５ｃｍであり得る。有孔のバットレス材料は、多くて約７５ｍｇ／ｃｍ２の密度を有し得、そして、ある実施形態においては、約２０ｍｇ／ｃｍ２を下回る密度を有し得る。有孔バットレス材料における孔のサイズは、約２０μｍ〜約３００μｍであり得、ある実施形態においては、約１００μｍ〜約２００μｍであり得る。
【００２７】
バットレス材料はまた、補強部材を備え得る。補強部材は、有孔または非有孔の層に実装されても、バットレス材料の非有孔層と有孔層との間に位置決めされてもよい。あるいは、補強部材は、完全にバットレス材料の１以上の個々の層内に位置決めされ（すなわち、有孔層、非有孔層、または両方の内側に埋め込まれ）てもよい。また、補強部材は、バットレス材料を構成する層のうちの１つの表面に位置決めされてもよく、ある実施形態においては、バットレス材料の外側表面に位置決めされてもよいことが想定される。
【００２８】
補強部材のいくつかの適切な非限定的な例としては、織物、メッシュ、モノフィラメント、マルチフィラメントの組紐、チョップドファイバー（当該分野では、時折、ステープル繊維と呼ばれる）およびこれらの組み合わせが挙げられる。補強部材がメッシュである場合、補強部材は、編み、織り、タッチング、ニップリング（ｋｎｉｐｌｉｎｇ）などのような、当業者に公知のあらゆる技術を用いて調製され得る。モノフィラメントまたはマルチフィラメントの組紐が補強部材として使用される場合、モノフィラメントまたはマルチフィラメントの組紐は、任意の所望される様式で配向され得る。例えば、モノフィラメントまたはマルチフィラメントの組紐は、バットレス材料内で互いに関して不規則に位置決めされ得る。別の例として、モノフィラメントまたはマルチフィラメントの組紐は、バットレス材料内で共通する方向に配向され得る。チョップドファイバーが補強部材として使用される場合、チョップドファイバーは、任意の所望される様式で配向され得る。例えば、チョップドファイバーは、不規則に配向されても、共通する方向に配向されてもよい。したがって、チョップドファイバーは、マットまたはフェルトのような不織材料を形成し得る。チョップドファイバーは、（例えば、熱溶融によって）一緒に結合されても、互いに付着されていないくてもよい。チョップドファイバーは、任意の適切な長さであり得る。例えば、チョップドファイバーは、０．１ｍｍ〜１００ｍｍの長さであり得、ある実施形態においては、０．４ｍｍ〜５０ｍｍの長さであり得る。例示的な実施形態において、バットレス材料は、予め一緒に溶融されていない、不規則な配向のチョップドファイバーが、バットレス材料内に埋め込まれる。
【００２９】
補強部材は、本明細書中で前述したあらゆる生体吸着性、非生体吸着性、天然、または合成の材料およびこれらの組み合わせから形成され得ることが想定される。モノフィラメントおよびマルチフィラメントの組紐が補強部材として使用される場合、あらゆる市販の縫合糸材料が有利に補強部材として用いられ得る。
【００３０】
ある実施形態においては、少なくとも１種の生物活性因子が、バットレス材料、および／または、バットレス材料を構築するために使用された個々の構成要素（有孔層、非有孔層および／または補強部材）と組合され得る。これらの実施形態において、バットレス材料はまた、生物活性因子を送達するためのビヒクルとしても機能し得る。用語「生物活性因子」とは、本明細書において使用される場合、その最も広い意味において使用され、そして、臨床上の用途を有するあらゆる物質または物質の混合物を包含する。したがって、生物活性因子は、それ自体が薬理学的活性を有しても有していなくてもよい（例えば、色素または香料）。あるいは、生物活性因子は、治療上または予防上の効果を提供するあらゆる因子、組織増殖、細胞増殖、細胞分化に影響するかまたはこれらに関与する化合物、抗癒着化合物、免疫応答性のような生物学的な活動を惹起し得る化合物、または、１以上の生物学的プロセスにおいてあらゆる他の役割を果たし得る化合物であり得る。
【００３１】
本開示にしたがって利用され得る生物活性因子の分類の例としては、抗癒着物質、抗菌物質、解熱薬、鎮痛薬、麻酔薬、抗てんかん薬、抗ヒスタミン薬、抗炎症薬、心血管系の薬物、診断剤、交感神経作用薬、コリン作用薬、抗ムスカリン作用薬、鎮痙薬、ホルモン剤、増殖因子、筋弛緩薬、アドレナリン作動性ニューロン遮断薬、抗腫瘍薬、免疫原性因子、免疫抑制薬、消化管系の薬物、利尿薬、ステロイド、脂質、リポ多糖類、多糖類および酵素が挙げられる。また、生物活性因子の組み合わせが使用され得ることも意図される。
【００３２】
抗癒着性因子または抗癒着因子は、バットレス材料と、標的組織の反対側の周囲組織との間に癒着が形成することを防止するために使用され得る。これらの因子のいくつかの例としては、ポリ（ビニルピロリドン）、カルボキシメチルセルロース、ヒアルロン酸、ポリエチレンオキシド、ポリビニルアルコールおよびこれらの組み合わせが挙げられるがこれらに限定されない。
【００３３】
本開示のバットレス材料中に生物活性因子として含められ得る適切な抗菌剤としては、トリクロサン（２，４，４’−トリクロロ−２’−ヒドロキシジフェニルエーテルとしても公知）、クロルヘキシジンおよびその塩（酢酸クロルヘキシジン、グルコン酸クロルヘキシジン、塩酸クロルヘキシジンおよび硫酸クロルヘキシジンを含む）、銀およびその塩（酢酸銀、安息香酸銀、炭酸銀、クエン酸銀、ヨウ素酸銀、ヨウ化銀、乳酸銀、ラウリル酸銀、硝酸銀、酸化銀、パルミチン酸銀、銀タンパク質および銀スルファジアジンを含む）、ポリミキシン、テトラサイクリン、アミノグリコシド（例えば、トブラマイシンおよびゲンタマイシン、リファンピシン、バシトラシン、ネオマイシン、クロラムフェニコール、ミコナゾール）、キノロン（例えば、オキソリン酸、ノルフロキサシン、ナリジクス酸、ペフロキサシン（ｐｅｆｌｏｘａｃｉｎ）、エノキサシンおよびシプロフロキサシン）、ペニシリン（例えば、オキサシリンおよびピプラシル（ｐｉｐｒａｃｉｌ））、ノンオキシノール９（ｎｏｎｏｘｙｎｏｌ  ９）、フシジン酸、セファロスポリン、およびこれらの組み合わせが挙げられる。さらに、ウシラクトフェリンおよびラクトフェリシンＢのような抗菌性のタンパク質およびペプチドが、本開示のバットレス材料中の生物活性因子として含められ得る。
【００３４】
本開示にしたがうバットレス材料中の生物活性因子として含められ得る他の生物活性因子としては、以下が挙げられる：局所麻酔薬；非ステロイド性避妊剤；副交感神経作用剤；精神療法剤（ｐｓｙｃｈｏｔｈｅｒａｐｅｕｔｉｃ  ａｇｅｎｔ）；精神安定薬；うっ血除去薬；沈静催眠薬；ステロイド；スルホンアミド；交感神経作用剤；ワクチン；ビタミン；抗マラリア薬；抗片頭痛剤（ａｎｔｉ−ｍｉｇｒａｉｎｅ  ａｇｅｎｔ）；抗パーキンソン剤（例えば、Ｌ−ドパ）；鎮痙薬；抗コリン作用剤（例えば、オキシブチニン）；鎮咳薬；気管支拡張薬；心血管系の薬剤（例えば、冠動脈拡張薬およびニトログリセリン）；アルカロイド；鎮痛薬；麻酔薬（例えば、コデイン、ジヒドロコデイン、メペリジン、モルヒネなど）；非麻酔薬（例えば、サリチル酸、アスピリン、アセトアミノフェン、ｄ−プロポキシフェンなど）；オピオイド受容体アンタゴニスト（例えば、ナルトレキソンおよびナロキソン）；抗癌剤；鎮痙薬；制吐薬；抗ヒスタミン薬；抗炎症剤（例えば、ホルモン剤、ヒドロコルチゾン、プレドニゾロン、プレドニゾン、非ホルモン剤、アロプリノール、インドメタシン、フェニルブタゾンなど）；プロスタグランジンおよび細胞傷害性薬物；エストロゲン；抗菌薬；抗生物質；抗真菌薬；抗ウイルス薬；抗凝固薬；鎮痙薬；抗うつ薬；抗ヒスタミン薬；および免疫学的因子。
【００３５】
バットレス材料中に含められ得る適切な生物活性因子の他の例としては、以下が挙げられる：ウイルスおよび細胞、ペプチド、ポリペプチドおよびタンパク質、アナログ、ムテイン、ならびにこれらの活性フラグメント（例えば、免疫グロブリン、抗体）、サイトカイン（例えば、リンホカイン、モノカイン、ケモカイン）、血液凝固因子、造血因子、インターロイキン（ＩＬ−２、ＩＬ−３、ＩＬ−４、ＩＬ−６）、インターフェロン（β−ＩＦＮ、α−ＩＦＮおよびγ−ＩＦＮ）、エリスロポエチン、ヌクレアーゼ、腫瘍壊死因子、コロニー刺激因子（例えば、ＧＣＳＦ、ＧＭ−ＣＳＦ、ＭＣＳＦ）、インスリン、抗腫瘍因子および腫瘍抑制遺伝子（ｔｕｍｏｒ  ｓｕｐｐｒｅｓｓｏｒ）、血液タンパク質、ゴナドトロピン（例えば、ＦＳＨ、ＬＨ、ＣＧなど）、ホルモンおよびホルモンアナログ（例えば、成長ホルモン）、ワクチン（例えば、腫瘍抗原、細菌抗原、およびウイルス抗原）；ソマトスタチン；抗原；血液凝固因子；増殖因子（例えば、神経増殖因子、インスリン様増殖因子）；タンパク質インヒビター、タンパク質アンタゴニストおよびタンパク質アゴニスト；核酸（例えば、アンチセンス分子、ＤＮＡおよびＲＮＡ）；オリゴヌクレオチド；ポリヌクレオチド；ならびにリボザイム。
【００３６】
アンビルバットレス保持システム２８は、組織にステープル止めする前に、アンビルバットレス材料２４をアンビル２０に着脱可能に固定するために提供される。アンビルバットレス保持システム２８は、アンビル２０の下面４８に形成された、遠位に隆起した領域４６を備える。図３および５に最もよく示されるように、遠位に隆起した領域４６は、アンビルバットレス材料２４の遠位端部をアンビル２０に着脱可能に固定するように構成された、一対の近位に延びる指部または突出部５０および５２を備える。本明細書において使用される場合、用語「突出部」とは、指に似た形状をしており、指の間に位置決めされたバットレス材料を摩擦嵌めの様式で係合するように構成される、機器のジョーに提供される構造をいう。突出部５０および５２は、それぞれ、ネック５４および５６と、ネック５４および５６から近位に延びる膨らんだ部分５８および６０とを備える。アンビル２０の突出部５０および５２と係合するために、アンビル２０の遠位端部６６に切欠き６２および６４が提供される。切欠き６２および６４は、それぞれ、アンビル２０のネック５４および５６ならびに膨らんだ部分５８および６０に対応するネック６８および７０と、膨らんだ部分７２および７４とを備えるように構成される。突出部５０および５２は、切欠き６２および６４と共に、一対の連動指部を形成し、アンビルバットレス材料２４をアンビル２０上に保持する。
【００３７】
アンビルバットレスシステム２８はさらに、アンビル２０の近位端部７８に形成されたポスト７６を備える。アンビルバットレス材料２４は、近位端部８２にホール８０が提供され、このホール８０は、ポスト７６を係合し、そして、アンビルバットレス材料２４をアンビル２０の下面４８を横切ってぴんと張った状態に維持するように構成される。
【００３８】
図３〜６に最もよく示されるように、ポスト７６は、ポスト半体７６ａおよび７６ｂへと分割しており、ポスト半体７６ａと７６ｂとの間にチャネル８４を規定する。チャネル８４は、アンビル２０内のスロット３８に対応し、そして、スロット３８を通した駆動装置３６ならびに駆動装置３６に実装されるナイフの移動を可能にしてアンビル２０を閉じ、そして、ステープル止めした後、アンビルバットレス材料２４を半分に切断する。
【００３９】
再び、図３および４の場面を参照すると、アンビルバットレス保持システム２８を用いてアンビルバットレス材料２４をアンビル２０に組み立てるために、アンビルバットレス材料２４の遠位端部６６にある切欠き６２および６４は、アンビル２０の遠位に隆起した領域４６にある突出部５０および５２の上に位置決めされる。その後、アンビルバットレス材料２４は、近位にぴんと張って引っ張られ、そして、ホール８０が、アンビル２０の近位端部７８にあるポスト７６の上に位置決めされ、アンビルバットレス材料２４を、アンビル２０の下面４８に対して固定する。
【００４０】
図７および８を参照して、アンビル２０内のスロット３８を通る駆動装置３６の通過を可能にする様式で、アンビルバットレス材料２４の近位端部８２をアンビル２０へと固定するための、保持システム８６の代替的な実施形態が開示される。保持システム８６は、アンビルバットレス材料２４内のホール８０を通して配置するために、拡大されたキャップ９０を有するキノコ形状のポストまたは突出部８８を備える。キャップ９０は、アンビルバットレス材料２４を係合するように構成された、下面またはフランジ９２を規定する。上記のポスト７６と同様に、突出部８８は、突出部半体８８ａおよび８８ｂに分割しており、駆動装置３６および駆動装置３６に実装されるナイフブレードの通過のために、突出部半体８８ａと８８ｂとの間にスロット９４を規定する。キャップ９０は、アンビルバットレス材料２４の近位端部８２の成熟前の取り外しの防止を補助する。具体的には示されないが、ホール８０の周りの領域は、アンビルバットレス材料２４の突出部８８からの分離を容易にするために、多孔の領域を備え得る。
【００４１】
図９および１０を参照して、アンビルバットレス材料２４の近位端部８２をアンビル２０上に保持するための、保持システム９４のさらなる代替的な実施形態が例示される。アンビル２０には、スロット３８のいずれかの側に位置決めされた、一対の水平方向に間隔を空けられたポスト９６および９８が提供される。アンビルバットレス材料２４の近位端部８２には、それぞれ、ポスト９６および９８によって係合されるように構成された、一対の対応するホール１００および１０２が提供される。ポスト９６および９８は、アンビル２０内のスロット３８の外側にアンビルバットレス材料２４を固定する領域に位置する。このことは、外科用ステープラー１０を使用する間に、アンビルバットレス材料２４の外側エッジ１０４および１０６をぴんと張った状態に維持するのを補助する。
【００４２】
ここで、図１１および１２を参照して、カートリッジバットレス保持システム３０が記載される。上述のように、カートリッジバットレス保持システム３０は、組織をステープル止めする前に、カートリッジバットレス材料２６をステープルカートリッジ２２上に保持するために提供される。ステープルカートリッジ２２は、一般に、ステープルを含む挿入物１１０を取り囲むＵ字型の外側チャネル１０８を備える。ステープルを含む挿入物１１０には、ステープルポケットの列１１２が提供され、このステープルポケットの列１１２の機能は、以下により詳細に記載される。ナイフチャネル１１４は、ステープルポケットの列１１２の間を、ステープルを含む挿入物１１０を通って長手方向に通過する。
【００４３】
図１１および１５の場面を参照すると、カートリッジバットレス保持システム３０は、ステープルを含む挿入物１１０の遠位端部１１８に形成されたポスト１１６を備える。ポスト１１６は、上記のポスト７６と類似しており、そして、半体１１６ａと１１６ｂとに分割しており、組織およびカートリッジバットレス材料２６を切断するためのナイフブレードの通過に適合する。カートリッジバットレス材料２６は、対応するホール１２０を備え、このホール１２０は、カートリッジバットレス材料の遠位端部１２２に形成され、そして、ステープルを含む挿入物１１０上のポスト１１６の上にフィットするように構成される。
【００４４】
図１１および１２に戻って参照し、そして、図１３に関して、カートリッジバットレス保持システム３０はさらに、ステープルを含む挿入物１１０の近位端部１２８内に形成された一対の指部または突出部１２４および１２６を備え、この突出部１２４および１２６は、遠位に延び、比較的真っ直ぐであり、かつ、間隔を空けられている。突出部１２４および１２６は、カートリッジバットレス材料２６を、カートリッジバットレス材料２６の外側エッジ１３０および１３２に隣接して固定するために、ナイフチャネル１１４のいずれかの側に位置決めされる。カートリッジバットレス材料２６には、カートリッジバットレス材料２６の近位端１３８内に形成された対応するスロット１３４および１３６が提供される。スロット１３４および１３６は、ステープルを含む挿入物１１０の突出部１２４および１２６を摩擦嵌めの様式で係合するように構成され、カートリッジバットレス材料２６の近位端部１３８を、ステープルを含む挿入物１１０の近位端部１２８の上に保持する。
【００４５】
カートリッジバットレス保持システム３０を組み立てるために、カートリッジバットレス材料２６内のホール１２０は、ステープルを含む挿入物１１０の遠位端部１１８上のポスト１１６の上に位置決めされる。その後、カートリッジバットレス材料２６の近位端部１３８が、ステープルを含む挿入物１１０の近位端部１２８の上に位置決めされる。アンビルバットレス材料２６内のスロット１３４および１３６は、ステープルを含む挿入物１１０上の突出部１２４および１２６の上から押し付けられて、アンビルバットレス材料２６をステープルを含む挿入物１１０と摩擦嵌めの様式で係合する。
【００４６】
図１４の場面を参照すると、代替的な実施形態において、ステープルを含む挿入物１１０の近位端部１２８には、ナイフチャネル１１４のいずれかの側に位置決めされる複数のセットの指部または突出部１４０、１４２および１４４、１４６が提供される。突出部１４０、１４２および１４４、１４６は、それぞれ、対応するスロットのセット１４８、１５０および１５２、１５４を係合して、カートリッジバットレス材料２６の近位端部１３８をステープルを含む挿入物１１０の近位端部１２８に固定する。ジョーの上に複数のセットの指部を、そして、バットレス材料内に対応するスロットを提供することによって、摩擦接触に利用可能な表面積が増え、より確実な接続を提供する。具体的には示されないが、バットレス材料の性質および必要とされる摩擦接触の量に依存して、２より多いセットの指部およびスロットが提供され得る。
【００４７】
ここで、図１６〜２１を参照し、そして、最初に、図１６および１７に関して、バットレス材料を外科用機器のジョーに着脱可能に固定する代替的な方法が記載される。上記の突出部８８に類似する、分割した突出部１５６は、ステープルを含む挿入物１１０の遠位端部１１８の上に形成され、そして、フランジ１６０ａおよび１６０ｂを規定するキャップ半体１５８ａおよび１５８ｂを備える。カートリッジバットレス材料２６の遠位端部１２２内のホール１２０は、分割した突出部１５６の上にフィットし、カートリッジバットレス材料２６の遠位端部１２２を、ステープルを含む挿入物１１０の遠位端部１１８に固定する。
【００４８】
図１８および１９を参照すると、ステープルを含む挿入物１１０の遠位端部１１８およびカートリッジバットレス材料２６の遠位端部１２２には、それぞれ、間隔を空けられたポスト１６２、１６４と間隔を空けられたホール１６６、１６８とが提供され得る。ポスト１６２、１６４およびホール１６６、１６８は、上記のポスト９６、９８およびホール１００、１０２と実質的に同様に機能して、カートリッジバットレス材料２６の遠位端部１２２を、ステープルを含む挿入物１１０の遠位端部１１８に固定する。
【００４９】
図２０および２１を参照すると、中実の分割していないポスト１７０が、ステープルを含む挿入物１１０の遠位端部１１８の上に提供される。ポスト１７０は、ナイフチャネル１１４の遠位端部１７２の遠位に位置を定められる。ホール１７４が、カートリッジバットレス材料２６の遠位端部１２２内に提供され、そして、長手方向のスリット１７６が、ホール１７４を規定する領域を通って形成される。使用の際、外科用ステープラー１０に実装されるナイフは、ナイフチャネル１１４の長さ全体を通して、カートリッジバットレス材料２６を端から端まで切断する。カートリッジバットレス材料２６が組織に対してステープル止めされ、ほぼ完全に半分に切断された後、長手方向のスリット１７６は、カートリッジバットレス材料２６が、裂けたり引っかかったりすることなく、半分に分離することを可能にする。
【００５０】
ここで、図２２〜２６を参照し、そして、最初に、図２２および２３に関して、管状の組織部分Ｔをステープル止めし、そして、分割するための外科用ステープラー１０の使用が記載される。まず、アンビル２０およびステープルを含むカートリッジ２２を備えるジョーアセンブリ１６が、ステープル止めされる組織Ｔの周りに位置決めされる。駆動装置３６は、アンビルのスロット３８に関して近位の位置にある。図２３に最もよく示されるように、ステープルを含む挿入物１１０は、ステープルポケット１１２の列の個々のステープルポケット１８０内に位置決めされたステープル１７８を備える。ステープル１７８は、従来の型のものであり、そして、バックスパン（ｂａｃｋｓｐａｎ）１８２を備え、このバックスパン１８２からは一対の脚部１８４および１８６が延びている。脚部１８４および１８６は、組織を貫通する先端部１８８および１９０において端をなす。プッシャー１９２が、ステープルポケット１８０内に位置を定められ、そして、ステープル１７８と、駆動バー１９４の通路との間に位置決めされる。
【００５１】
ここで、図２４を参照すると、外科用ステープラー１０は、まず、トリガ３２をハンドル１２に関して動かすことによって起動され（図１）、駆動装置３６を、矢印Ｂの方向に、アンビル２０の傾斜したエッジ４０に関して動かし、それによって、アンビル２０をステープルカートリッジ２２に関して閉じた位置へと動かす。駆動バー１９４は、ステープルを含む挿入物１９４内を遠位に進むので、駆動バー１９４は、プッシャー１９２をステープル１７８のバックスパン１８２に対して上向きに追いやり、ステープル１７８を、カートリッジバットレス材料２６、組織Ｔ、アンビルバットレス材料２４を通して、アンビル２０内のステープルうち曲げポケット４４に向けて駆動する。組織を貫通する先端部１８８および１９０は、アンビル２０内のステープル打ち曲げポケット４４内で屈曲し、それによって、アンビルバットレス材料２４を、組織Ｔに対して固定する。この間、バックスパン１８２は、カートリッジバットレス材料２６を組織Ｔに対して固定する。
【００５２】
具体的には示されないが、外科用ステープラー１０を完全に起動した際、外科用ステープラー１０に実装され、そして、駆動装置３６によって運ばれるナイフブレードが、たった今打ち曲げられたステープルの列の間で、組織Ｔ、ならびに、アンビルバットレス材料２４およびカートリッジバットレス材料２６を切断する。アンビル２０をステープルカートリッジ２２から間隔を空けた開いた位置へと動かすと、アンビルバットレス材料２４は、アンビル２０から離れ、そして、カートリッジバットレス材料２６は、ステープルカートリッジ２２から離れる。具体的には、カートリッジバットレス材料２６の遠位端部１２２は、ナイフによって端から端まで切断され、そして、ポスト１１６から解放される。カートリッジバットレス材料２６の近位端部１３８は、ステープルを含む挿入物１１０の近位端部１２８にある長手方向の突出部１２４、１２６から離れる。同様に、アンビルバットレス材料２４の遠位端部６６は、近位に延びる突出部５０、５２から離れ、そして、アンビルバットレス材料２４の近位端部８２は、ポスト７８から離れる。
【００５３】
結果として得られる、分割され、かつステープル１７８でステープル止めされ閉じられた組織Ｔが、図２５および２６に最もよく例示される。具体的には、カートリッジバットレス材料２６は、ステープル１７８のバックスパン１８２によって組織Ｔに対して固定され、そして、アンビルバットレス材料２４は、ステープル１７８のたった今打ち曲げられた組織を貫通する先端部１８８および１９０によって、組織Ｔに対して固定される。この様式において、アンビルバットレス材料２４およびカートリッジバットレス材料２６は、組織Ｔに対してステープル止めされ、それによって、ステープル１７８によって生成されるこれらのステープルラインを密閉し、そして、補強する。
【００５４】
本明細書において開示される実施形態に対して、種々の改変がなされ得ることが理解される。例えば、ジョーとジョーに実装されるバットレス材料との間の摩擦接触を増すために、種々の数の連動指部または突出部が提供され得る。さらに、開示されるバットレス材料には、開示される指部または突出部、およびポストからの解放を容易にするために、種々の多孔領域が提供され得る。それゆえ、上記明細書は、限定的なものとしてみなされるべきではなく、単に、特定の実施形態を例示するものとしてみなされるべきである。当業者は、添付の特許請求の範囲の精神および範囲内で他の改変を想定する。
【符号の説明】
【００５５】
１０：外科用ステープラーまたは外科用ステープル止め機器
１２：ハンドル
１６：ジョーアセンブリ
２０：アンビル
２２：ステープルカートリッジ
２４：アンビルバットレス材料
２６：カートリッジバットレス材料
２８：アンビルバットレス材料保持システム
３０：カートリッジバットレス材料保持システム
３６：駆動装置
３８：長手方向のスロット
５０、５２、８８、１２４、１２６、１４０、１４２、１４４、１４６：突出部
６２、６４：切欠き
８０、１００、１０２、１６６、１６８、１７４：ホール
【図１】
0005543626.tif 000002
【図２】
0005543626.tif 000003
【図３】
0005543626.tif 000004
【図４】
0005543626.tif 000005
【図５】
0005543626.tif 000006
【図６】
0005543626.tif 000007
【図７】
0005543626.tif 000008
【図８】
0005543626.tif 000009
【図９】
0005543626.tif 000010
【図１０】
0005543626.tif 000011
【図１１】
0005543626.tif 000012
【図１２】
0005543626.tif 000013
【図１３】
0005543626.tif 000014
【図１４】
0005543626.tif 000015
【図１５】
0005543626.tif 000016
【図１６】
0005543626.tif 000017
【図１７】
0005543626.tif 000018
【図１８】
0005543626.tif 000019
【図１９】
0005543626.tif 000020
【図２０】
0005543626.tif 000021
【図２１】
0005543626.tif 000022
【図２２】
0005543626.tif 000023
【図２３】
0005543626.tif 000024
【図２４】
0005543626.tif 000025
【図２５】
0005543626.tif 000026
【図２６】
0005543626.tif 000027